(57)【要約】【課題】  接続対象物との嵌合離脱を確実に行うことができ、しかも、堅牢な構造のコネクタを提供する。【解決手段】  カード１１をカード用コネクタ１に挿入すると、状態ａから状態ｃまでに至る。カムフォロアー６は、アクチュエータ部６ｂを一体に有し、イジェクトバー４に回転可能に保持される。弾性変形するアクチュエータ部の支持端６ｂ４は、カバーの支持部１０ａに乗り上がる。したがって、カムフォロアーは矢印方向の回転モーメントを与えられ、また、カムフォロアーの先端がハートカムにガイドされて、状態ｄに至る。この後、カードの後端から手指を離すと、状態ｅに至って、カムフォロアーはハートカムにロックされる。このとき、アクチュエータ部は、固定端６ｂ１と支持端とを固定部とする両持ち梁のばね構造となるので、凸部６ｂ２は確実にカードの凹部１１ａに係合する。【選択図】  図７
2006210098.tif 000002
【特許請求の範囲】
【請求項１】
接続対象物との嵌合離脱を行い、イジェクト機構を備えるコネクタにおいて、
前記イジェクト機構は、前記接続対象物と共に移動するイジェクトバーと、前記イジェクトバーを前記接続対象物の離脱方向へ常時付勢するスプリングと、前記イジェクトバーに回転可能に保持されるカムフォロアーと、前記カムフォロアーの被係合部をガイドするカムとを有し、
前記カムフォロアーはアクチュエータ部を一体に有し、前記アクチュエータ部は弾性変形可能な本体部と当接部とを有し、
前記コネクタは、前記当接部と当接する被当接部を有し、
前記接続対象物が嵌合する際、前記当接部と前記被当接部とが当接することにより、前記本体部が弾性変形して前記カムフォロアーに回転力を与え、前記カムフォロアーの被係合部が前記カムにガイドされることを特徴とするコネクタ。
【請求項２】
前記カムフォロアーは、金属板から製作され、
前記アクチュエータ部は、係合部を有し、
前記接続対象物は、当該係合部と係合する被係合部を有し、
前記接続対象物が嵌合する際、前記アクチュエータ部の当接部と前記コネクタの被当接部とが当接することによって、前記アクチュエータ部の本体部が弾性変形して当該係合部と当該被係合部とが係合することにより、前記接続対象物がロックされることを特徴とする請求項１記載のコネクタ。
【発明の詳細な説明】
【技術分野】
【０００１】
本発明は、カード等の接続対象物と接続するコネクタに関し、詳しく述べると、接続対象物との嵌合離脱を確実に行うことができ、しかも、堅牢な構造のコネクタに関する。
【背景技術】
【０００２】
従来のハートカムを用いるプッシュ−プッシュ式カード用コネクタについて説明する（例えば、特許文献１参照。）。
【０００３】
図８は、コネクタの分解斜視図、図９は、コネクタにカードを挿入する前の状態を示す斜視図、図１０（Ａ）〜（Ｅ）は、コネクタに対するカードの挿入と排出の過程を順次示す斜視図、図１１は、コネクタにおけるハートカムのカム溝にガイドされるカムフォロアーのガイドピンの過程を示す斜視図である。
【０００４】
コネクタ３１は、インシュレータ３２と、インシュレータ３２に固定された複数のコンタクト３３と、インシュレータ３２のフレーム部３２ａに装着されるイジェクトバー３４と、イジェクトバー３４を排出方向へ常時付勢する圧縮コイルばね３５と、イジェクトバー３４に形成されたハートカム３４ｃにガイドされるカムフォロアー３６とから構成される。カード４１は、コネクタ３１に挿入され、また、コネクタ１１から排出される。
【０００５】
個々の部品を詳細に説明すると、インシュレータ３２は、合成樹脂から略長方形状に製造され、その３辺にコ字形のフレーム部３２ａ，３２ｂ，３２ｃが形成される。各コンタクト３３には、一端側に凸状湾曲接点部３３ａが形成され、他端側に平坦接点部３３ｂが形成されている。イジェクトバー３４は、金属から略Ｌ字形状に製造され、ガイド部３４ａと直角折曲部３４ｂとを有し、ガイド部３４ａの一面にはハートカム３４ｃが形成され、直角折曲部３４ｂのカード当接部３４ｄにはカード４１の先端が当接する。イジェクトバー３４のガイド部３４ａは、フレーム部３２ａに形成された断面Ｕ字状の溝（図示せず）内にスライド可能に収容され、ガイド部３４ａの一面に形成された溝３４ｅ内に圧縮コイルばね３５が挿入される。圧縮コイルばね３５の一端は、イジェクトバー３４に圧接し、他端は、フレーム部３２ｃの内面に圧接する。したがって、イジェクトバー３４は、圧縮コイルばね３５によってカード４１をコネクタ３１から排出する方向へ常時付勢されている。カムフォロアー３６は、レバー状に形成され、フレーム部３２ａの外側に形成された切欠３２ｄ内に所定角度回動可能に配置される。カムフォロアー３６の基部に形成された穴３６ａは、フレーム部３２ａに形成された軸３２ｅにはまり、また、カムフォロアー３６の先端部に折曲形成されたガイドピン３６ｂは、フレーム部３２ａに設けられた穴（図示せず）を貫通してハートカム３４ｃのカム溝に係合する。
【０００６】
なお、コネクタ３１の全体を長方形状のカバー（図示せず）によって覆う。
【０００７】
イジェクトバー３４のハートカム３４ｃの詳細について図１１を参照して説明する。イジェクトバー３４のガイド部３４ａの一面には、ハートカム３４ｃが形成される。ハートカム３４ｃは、カムフォロアー３６のガイドピン３６ｂの出発点円囲１と、イジェクトバー３４のスライド方向に対して傾斜したガイド部分円囲２と、ハート型の凹部円囲３と、イジェクトバー３４のスライド方向に対して平行なガイド部分円囲４と、ガイドピン３６ｂの終着点円囲５すなわち出発点円囲１とから、循環状のガイドレール（カム溝）として構成される。ガイドピン３６ｂは、フリー状態では、カムフォロアー３６の弾力性によって図１１における右方へ付勢されている。
【０００８】
カード４１のコネクタ３１に対する挿入と排出について図１０と図１１を参照して説明する。
【０００９】
まず、図１０（Ａ）は、カード４１の一部がコネクタ３１内に挿入されたフリー状態であり、図１１において、カムフォロアー３６のガイドピン３６ｂは、ハートカム３４ｃの出発点円囲１に位置する。
【００１０】
次に、図１０（Ｂ）は、カード４１をコネクタ３１内方向へプッシュし、カード４１の先端がイジェクトバー３４のカード当接部３４ｄに当接することによって、カード４１とイジェクトバー３４とが一体となって、コネクタ３１内へ圧縮コイルばね３５の圧縮力に抵抗しながらスライドする途中の状態である。図１１において、ガイドピン３６ｂは、ハートカム３４ｃにおけるイジェクトバー３４のスライド方向に対して傾斜したガイド部分円囲２に位置する。
【００１１】
続いて、カード４１を最大のストロークまでプッシュした後に、プッシュを中止すると、カード４１とイジェクトバー３４とは、圧縮コイルばね３５の復元力によってわずかに戻されて図１０（Ｃ）の状態に至る。図１０（Ｃ）は、カード４１の複数のパッド（図示せず）が複数のコンタクト３３の各凸状湾曲接点部３３ａに接触した嵌合状態であり、図１１において、ガイドピン３６ｂは、ハートカム３４ｃのハート型の凹部円囲３に没入して位置する。以上で、カード４１の嵌合操作は完了する。
【００１２】
再び、カード４１を最大のストロークまでプッシュした後に、プッシュを中止すると、図１１において、ガイドピン３６ｂは、ハートカム３４ｃのハート型の凹部円囲３から脱出してイジェクトバー３４のスライド方向に対して平行なガイド部分円囲４を経て終着点円囲５すなわち出発点円囲１に至る。カード４１とイジェクトバー３４とは、圧縮コイルばね３５の復元力によって図１０（Ｄ）の状態を経て図１０（Ｅ）の状態に至る。以上で、カード４１の排出操作は、完了する。
【００１３】
この種のハートカムを用いるプッシュ−プッシュ式カード用コネクタは、他の文献にも記載されている（例えば、特許文献２，３参照。）。
【００１４】
【特許文献１】特開２００１−２６７０１３号公報（第２頁第２欄第３４行−第３頁４欄第２１行、図１−４）
【特許文献２】特開２００１−５２８１２号公報
【特許文献３】特開２００４−１７８８１５号公報
【発明の開示】
【発明が解決しようとする課題】
【００１５】
前記従来のカード用コネクタにおいては、カムフォロアーは、薄板板金から加工されているが、線材から加工されたものと格別の相違がない。したがって、加工精度の向上と剛性の増大を期待し難い。
【００１６】
そこで、本発明は、前記従来のカード用コネクタの欠点を改良し、接続対象物との嵌合離脱を確実に行うことができ、しかも、堅牢な構造のコネクタを提供しようとするものである。
【課題を解決するための手段】
【００１７】
本発明は、前記課題を解決するため、次の手段を採用する。
【００１８】
１．接続対象物１１との嵌合離脱を行い、イジェクト機構を備えるコネクタにおいて、前記イジェクト機構は、前記接続対象物と共に移動するイジェクトバーと、前記イジェクトバーを前記接続対象物の離脱方向へ常時付勢するスプリングと、前記イジェクトバーに回転可能に保持されるカムフォロアーと、前記カムフォロアーの被係合部６ａ１をガイドするカムとを有し、前記カムフォロアーはアクチュエータ部を一体に有し、前記アクチュエータ部は弾性変形可能な本体部６ｂ３と当接部６ｂ４とを有し、前記コネクタは、前記当接部と当接する被当接部１０ａを有し、前記接続対象物が嵌合する際、前記当接部と前記被当接部とが当接することにより、前記本体部が弾性変形して前記カムフォロアーに回転力を与え、前記カムフォロアーの被係合部が前記カムにガイドされるコネクタ。
【００１９】
２．前記カムフォロアーは、金属板から製作され、前記アクチュエータ部は、係合部を有し、前記接続対象物は、当該係合部と係合する被係合部を有し、前記接続対象物が嵌合する際、前記アクチュエータ部の当接部と前記コネクタの被当接部とが当接することによって、前記アクチュエータ部の本体部が弾性変形して当該係合部と当該被係合部とが係合することにより、前記接続対象物がロックされる前記１記載のコネクタ。
【発明の効果】
【００２０】
明細書の説明から明らかなように、本発明は、次の効果を奏する。
【００２１】
１．イジェクト機構においては、カムフォロアーは、アクチュエータ部を一体に有し、イジェクトバーに回転可能に保持されているから、構造が簡素堅牢であるので、接続対象物との嵌合離脱を確実に行うことができる。
【００２２】
２．イジェクトバーとカムフォロアーは、単純な打ち抜き加工と曲げ加工のみで構成されるので、製作が容易であり、また、コストが安価である。
【００２３】
３．アクチュエータ部の本体部が弾性変形可能であるので、カムフォロアーの被係合部はカムに確実にガイドされる。
【００２４】
４．接続対象物が嵌合する際、アクチュエータ部の係合部と接続対象物の被係合部とが係合するので、接続対象物は、コネクタから抜去されることを防止される。
【発明を実施するための最良の形態】
【００２５】
本発明の一実施例のハートカムを用いるプッシュ−プッシュ式カード用コネクタについて説明する。
【実施例１】
【００２６】
本発明の実施例１について図１〜図７を参照して説明する。
【００２７】
図１（Ａ）はカード１１が挿入される前のカード用コネクタ１の斜視図、図１（Ｂ）はカード用コネクタ１の拡大斜視図、図１（Ｃ）はカード用コネクタ１の拡大分解斜視図を、それぞれ示す。
【００２８】
耐熱性を有するハウジング２には、複数のコンタクト３が１列に保持され、また、イジェクトバー４がカード１１をカード用コネクタ１から排出する方向にコイルスプリング５により付勢されるように取り付けられる。カムフォロアー６は、金属板から製作され、イジェクトバー４に回転可能に保持される。更に、ハウジング２には、カード１１の挿入排出を検出するスイッチ７，８が取り付けられ、また、カード１１が勢いよく飛び出すことを防止するためにフリクションブレーキ９が取り付けられている。ハウジング２は、前記諸部品を収納された後に、カバー１０により被覆される。
【００２９】
図２は、ハウジング２にスライド可能に取り付けられているイジェクトバー４にカムフォロアー６が回転可能に保持されている組立状態を示す斜視図である。
【００３０】
図３（Ａ）はカムフォロアー６の表側から見た斜視図、図３（Ｂ）はカムフォロアー６の裏側から見た縮小斜視図を、それぞれ示す。
【００３１】
カムフォロアー６の一端側には、折曲した先端６ａ１が形成され、他端側には、ひょうたん形状の穴６ａ２が設けられている。また、カムフォロアー６は、アクチュエータ部６ｂを一体に有する。アクチュエータ部６ｂは、カムフォロアー６に固定される固定端６ｂ１と、略逆Ｖ字形状の凸部６ｂ２と、弾性変形可能な本体部６ｂ３と、支持端６ｂ４とから連続して一体に構成される。
【００３２】
図４は、イジェクトバー４の斜視図である。イジェクトバー４には、中央に軸部４ａが上方へ折曲して形成され、軸部４ａの若干前部にコイルスプリング５が突き当たる突き当て部４ｂが右方へ折曲して形成され、前端にカード１１の先端が突き当たる突き当て部４ｃが左方へ折曲して形成されている。
【００３３】
カムフォロアー６の穴６ａ２がイジェクトバー４の軸部４ａに回転可能にはめられると、図２の状態に至る。
【００３４】
図５は、ハウジング２の要部の斜視図である。ハウジング２の右側部には、ハートカム２ａが形成される。カード１１がカード用コネクタ１に挿入されたときに、カムフォロアー６の先端６ａ１がハートカム２ａの凹部２ａ１に係合するので、カムフォロアー６はハートカム２ａにロックされる。
【００３５】
図６は、カバー１０を内側から見た斜視図である。カバー１０の内部右側には、カード１１がカード用コネクタ１に挿入されたときに、アクチュエータ部６ｂの支持端６ｂ４を支持するための支持部１０ａが、切り起し加工により形成されている。
【００３６】
図７は、カード１１の排出状態から嵌合（挿入）状態までの状態変化を示す要部の正面図である。
【００３７】
状態ａは、カード１１の排出状態である。カード１１を手指でカード用コネクタ１に挿入すると、カード１１の先端がイジェクトバー４の突き当て部４ｃを押す。すると、状態ｂに示されるように、イジェクトバー４はハウジング２の右側面に沿ってスライドするので、カムフォロアー６はイジェクトバー４と共に移動する。更に、イジェクトバー４がスライドすると、状態ｃに示されるように、弾性変形するアクチュエータ部６ｂの支持端６ｂ４はカバー１０の支持部１０ａに乗り上がる。したがって、カムフォロアー６は矢印方向の回転モーメントを与えられ、また、カムフォロアー６の先端６ａ１がハートカム２ａにガイドされて、状態ｄに至る。
【００３８】
この後、カード１１の後端から手指を離すと、状態ｅに示されるように、イジェクトバー４はコイルスプリング５の反力により若干戻り、また、カムフォロアー６の先端６ａ１がハートカム２ａの凹部２ａ１に係合するので、カムフォロアー６はハートカム２ａにロックされる。このとき、アクチュエータ部６ｂは、固定端６ｂ１と支持端６ｂ４とを固定部とする両持ち梁のばね構造となるので、凸部６ｂ２は確実にカード１１の凹部１１ａに係合する。状態ｅすなわちカード嵌合状態においては、カード１１は、カード用コネクタ１から抜去されることを防止される。
【００３９】
状態ｅにおいて、カード１１の後端を手指でプッシュすると、カムフォロアー６の先端６ａ１がハートカム２ａの凹部２ａ１から脱出してハートカム２ａにガイドされ、コイルスプリング５の反力により、イジェクトバー４とカムフォロアー６とカード１１は状態ａに至る。この状態では、アクチュエータ部６ｂの凸部６ｂ２の大半がカード１１の凹部１１ａから脱出しているので、カード１１をカードコネクタ１から容易に抜去することができる。
【図面の簡単な説明】
【００４０】
【図１】本発明の実施例１のカード用コネクタの諸図であり、（Ａ）はカードが挿入される前の同コネクタの斜視図、（Ｂ）は同コネクタの拡大斜視図、（Ｃ）は同コネクタの拡大分解斜視図を、それぞれ示す。
【図２】同コネクタにおけるイジェクトバーとカムフォロアーとの組立状態の斜視図である。
【図３】同カムフォロアーの斜視図であり、（Ａ）は表側から見た斜視図、（Ｂ）は裏側から見た縮小斜視図を、それぞれ示す。
【図４】同イジェクトバーの斜視図である。
【図５】同コネクタにおけるハウジングの要部の斜視図である。
【図６】同コネクタにおけるカバーの内側から見た斜視図である。
【図７】同コネクタに対する同カードの排出状態から嵌合（挿入）状態までの状態変化を順次示す要部の正面図である。
【図８】従来のカード用コネクタの分解斜視図である。
【図９】カードが同コネクタに挿入される前の状態の斜視図である。
【図１０】同コネクタに対する同カードの挿入と排出の過程を順次（Ａ）〜（Ｅ）に示す斜視図である。
【図１１】同コネクタにおけるハートカムのガイドレール（カム溝）にガイドされるカムフォロアーのガイドピンの過程を示す斜視図である。
【符号の説明】
【００４１】
１  カード用コネクタ
２  ハウジング
２ａ  ハートカム
２ａ１  凹部
３  コンタクト
４  イジェクトバー
４ａ  軸部
４ｂ  突き当て部
４ｃ  突き当て部
５  コイルスプリング
６  カムフォロアー
６ａ１  先端
６ａ２  穴
６ｂ  アクチュエータ部
６ｂ１  固定端
６ｂ２  凸部
６ｂ３  本体部
６ｂ４  支持端
７  スイッチ
８  スイッチ
９  フリクションブレーキ
１０  カバー
１０ａ  支持部
１１  カード
１１ａ  凹部
【図１】
2006210098.tif 000003
【図２】
2006210098.tif 000004
【図３】
2006210098.tif 000005
【図４】
2006210098.tif 000006
【図５】
2006210098.tif 000007
【図６】
2006210098.tif 000008
【図７】
2006210098.tif 000009
【図８】
2006210098.tif 000010
【図９】
2006210098.tif 000011
【図１０】
2006210098.tif 000012
【図１１】
2006210098.tif 000013